(57)【要約】【課題】投射画像の品質の劣化を招くことのないプロジェクターを提供する。【解決手段】プロジェクター１において、鏡筒７１の内部に空気を導入する導入孔７１２Ａ１と、収差補正レンズ７３１を保持する保持枠７３と、導入孔７１２Ａ１を介して導入された空気を収差補正レンズ７３１に案内するフィン７３３とを設けた。従って、鏡筒７１の内部を通過する光線により発熱が起こり、収差補正レンズ７３１が熱せられた場合でも、フィン７３３が空気を収差補正レンズ７３１に案内するため、収差補正レンズ７３１を冷却し、収差補正レンズ７３１の熱膨張による収差の変化を抑制することができる。よって、投射画像の品質の劣化を防止することができる。【選択図】図２
2010243542.tif 000002
【特許請求の範囲】
【請求項１】
光源装置と、
前記光源装置から射出された光束を、入力される画像情報に応じて変調して光学像を形成する光変調装置と、
前記光変調装置で形成された光学像を投射する投射光学系と、
を備えたプロジェクターであって、
前記投射光学系は、
内部にレンズを収納し、前記光学像の光線が通過する鏡筒と、
前記鏡筒の内部で前記光線の光路上に配置される複数のレンズと、
いずれかの前記レンズを保持する保持枠と、を備え、
前記鏡筒には、内部に冷却媒体を導入する導入孔が形成され、
前記保持枠は、前記導入孔を介して導入された前記冷却媒体を前記保持枠に保持されたレンズに案内する冷却媒体案内部を備えている
ことを特徴とするプロジェクター。
【請求項２】
請求項１に記載のプロジェクターにおいて、
前記冷却媒体案内部は、前記保持枠の表面に形成され、前記導入された冷却媒体を前記レンズの表面に案内するフィンである
ことを特徴とするプロジェクター。
【請求項３】
請求項１に記載のプロジェクターにおいて、
前記冷却媒体案内部は、前記保持枠の内部に形成され、前記導入された冷却媒体を前記レンズの外周縁に案内するダクト部である
ことを特徴とするプロジェクター。
【請求項４】
請求項１乃至請求項３のいずれかに記載のプロジェクターにおいて、
前記保持枠に保持されたレンズは、複数のレンズを接着剤により接着された接合レンズである
ことを特徴とするプロジェクター。
【請求項５】
請求項１乃至請求項４のいずれかに記載のプロジェクターにおいて、
前記保持枠で保持されたレンズは、最も径が小さい
ことを特徴とするプロジェクター。
【発明の詳細な説明】
【技術分野】
【０００１】
本発明は、プロジェクターに関する。
【背景技術】
【０００２】
近年、プロジェクターなどの投射光学装置の高輝度化に伴い、光線が集中して発熱量が多くなっているため、この発熱による投射光の性能の低下を防止する技術が提案されている（例えば、特許文献１、２参照）。
特許文献１に記載の技術では、投射レンズの側方から冷却空気を導入し、一部の冷却空気で投射レンズを冷却するとともに、液晶表示装置を含む光学素子を冷却し、プロジェクター上面から冷却後の空気を排出する技術が提案されている。
特許文献２に記載の技術では、投射レンズユニットの近傍に、冷却ファンを設け、投射レンズ近傍の温度が所定の温度よりも高い場合に、冷却ファンにより投射レンズを冷却する技術が提案されている。
【先行技術文献】
【特許文献】
【０００３】
【特許文献１】特開平９−２５８２２０号公報
【特許文献２】特開２００７−３２８０２２号公報
【発明の概要】
【発明が解決しようとする課題】
【０００４】
しかしながら、前記特許文献１、２に記載の技術では、投射レンズの外側、すなわち投射レンズの鏡筒部分を冷却する構成しか示されておらず、投射レンズの内側を通過する光線による発熱に対しては、十分に冷却することができない場合がある。
このため、投射レンズの鏡筒内のレンズのうち、光線が集中してエネルギー密度の高いレンズや、接着剤で複数のレンズを接合した接合レンズでは、熱の影響を受け、投射画像の品質の劣化等を招く可能性がある場合がある。
【０００５】
本発明の目的は、投射画像の品質の劣化を招くことのないプロジェクターを提供することにある。
【課題を解決するための手段】
【０００６】
本発明に係るプロジェクターは、
光源装置と、
前記光源装置から射出された光束を、入力される画像情報に応じて変調して光学像を形成する光変調装置と、
前記光変調装置で形成された光学像を投射する投射光学系と、
を備えたプロジェクターであって、
前記投射光学系は、
内部にレンズを収納し、前記光学像の光線が通過する鏡筒と、
前記鏡筒の内部で前記光線の光路上に配置される複数のレンズと、
いずれかの前記レンズを保持する保持枠と、を備え、
前記鏡筒には、内部に冷却媒体を導入する導入孔が形成され、
前記保持枠は、前記導入孔を介して導入された前記冷却媒体を前記保持枠に保持されたレンズに案内する冷却媒体案内部を備えていることを特徴とする。
【０００７】
このような発明によれば、冷却媒体案内部により冷却媒体をレンズに案内することにより、レンズを冷却することができる。
したがって、筐体の内部を通過する光線により発熱が起こり、レンズが熱せられた場合でも、冷却媒体によりレンズを冷却することができるため、レンズの熱膨張による収差の変化を抑制することができる。よって、投射画像の品質の劣化を防止することができる。
【０００８】
本発明は、
前記冷却媒体案内部は、前記保持枠の表面に形成され、前記導入された冷却媒体を前記レンズの表面に案内するフィンであることが好ましい。
【０００９】
このような発明によれば、フィンを設けるという簡単な構成により、冷却媒体をレンズに案内することができるとともに、フィンにより保持枠の冷却効率を向上させることもできる。
【００１０】
本発明は、
前記冷却媒体案内部は、前記保持枠の内部に形成され、前記導入された冷却媒体を前記レンズの外周縁に案内するダクト部であることが好ましい。
【００１１】
このような発明によれば、保持枠の内部にダクト部を設けたため、レンズの正面を冷却媒体が通過することがない。このため、冷却媒体とレンズ周辺の空気との温度や屈折率の差によるゆらぎが光路上に発生することを防止することができる。
【００１２】
本発明は、
前記保持枠に保持されたレンズは、複数のレンズを接着剤により接着された接合レンズであることが好ましい。
【００１３】
このような発明によれば、冷却媒体により接着剤を冷却することができるため、光線による熱により、接着剤が膨張したり黄変するという不都合を防止することができる。
また、接合レンズが熱線膨張係数の異なるレンズ同士を接合した構成である場合、光線によりレンズがそれぞれ熱膨張すると収差が変動しやすくなるが、冷却媒体により接合レンズを冷却することができるため、収差が増大するという不都合を防止することができる。
【００１４】
本発明は、
前記保持枠で保持されたレンズは、最も径が小さいことが好ましい。
【００１５】
このような発明によれば、レンズが小さいほど、光線が集中して熱による影響を受けやすいが、冷却媒体がレンズを冷却するため、最も径が小さいレンズであっても、熱膨張を抑制して収差の発生を防止することができる。
【図面の簡単な説明】
【００１６】
【図１】本発明の第１実施形態に係るプロジェクターの構造を表す模式図。
【図２】前記実施形態における鏡筒の内部を示す縦断面図。
【図３】前記実施形態における鏡筒の内部を示す横断面図。
【図４】本発明の第２実施形態に係るプロジェクターの鏡筒の内部を示す縦断面図。
【図５】前記実施形態における鏡筒の内部を示す横断面図。
【発明を実施するための最良の形態】
【００１７】
以下、本発明の実施の一形態について、図面に基づいて説明する。
［第１実施形態］
図１には、本発明の実施形態に係るプロジェクター１が示されており、このプロジェクター１は、照明光学装置２と、光学系４と、投射光学系７とを備え、図示を略したが、これらの光学素子は、１つの筐体に収納されている。このプロジェクター１は、照明光学装置２から射出された光束を、光学系４で入力する画像情報に応じて変調して光学像を形成し、投射光学系７により形成された光学像を投射するものである。
【００１８】
照明光学装置２は、光源装置２１、第１レンズアレイ２２、第２レンズアレイ２３、及び重畳レンズ２４を備える。
光源装置２１は、放射状の光線を射出する光源としての光源ランプ２１１と、当該光源ランプ２１１から射出された放射光を反射して所定位置に収束させるリフレクター２１２とを備えている。このような光源ランプ２１１としては、ハロゲンランプ、メタルハライドランプ及び高圧水銀ランプ等を利用することができる。また、リフレクター２１２としては、回転放物面を反射面とする放物面リフレクターや、回転楕円面を反射する楕円面リフレクターを採用することができる。
【００１９】
第１レンズアレイ２２及び第２レンズアレイ２３は、それぞれ対応する小レンズがマトリクス状に配列された構成を有し、第１レンズアレイ２２は、光源装置２１から入射した光束を複数の部分光束に分割して、第２レンズアレイ２３近傍に結像させる。
第２レンズアレイ２３は、光路後段に位置する重畳レンズ２４とともに、第１レンズアレイ２２の各小レンズから射出された像を、後述する光学系４を構成する液晶パネル４２Ｒ、４２Ｇ、４２Ｂの画像形成領域に第１レンズアレイ２２で分割された複数の部分光束を重畳させる。
照明光学装置２から射出された光束は、投射光学系７と正対する方向に配置される光学系４に供給される。
【００２０】
光学系４は、照明光学装置２から射出された光束を、画像情報に応じて変調して光学像を形成する部分であり、色分離光学装置４１、光変調装置４２、及び色合成光学装置４３を備える。
色分離光学装置４１は、入射した光束を赤色光（Ｒ）、緑色光（Ｇ）、青色光（Ｂ）の三色光に分離する機能を有し、ダイクロイックミラー４１１、４１２、及び反射ミラー４１３、４１４、４１５を備える。
【００２１】
ダイクロイックミラー４１１、４１２は、光束の光路中心軸に対して略４５deg傾斜して配置され、ＢＫ７、石英ガラス等の透明基板上に誘電体多層膜を形成した光学素子である。ダイクロイックミラー４１１、４１２の誘電体多層膜は、特定の波長域の光束を反射し、それ以外の光束を透過して、光束を複数の色光に分離する機能を有する。光路前段に配置されるダイクロイックミラー４１１は、青色光（Ｂ）を反射し、それ以外の赤色光（Ｒ）、緑色光（Ｇ）を透過し、一方、光路後段に配置されるダイクロイックミラー４１２は、緑色光（Ｇ）を反射し、赤色光（Ｒ）を透過する。
反射ミラー４１３、４１４、４１５は、ダイクロイックミラー４１１、４１２で分離された各色光Ｒ、Ｇ、Ｂを、光変調装置４２を構成する液晶パネル４２Ｒ、４２Ｇ、４２Ｂに導く光学素子であり、全反射ミラーで構成される。
【００２２】
光変調装置４２は、３つの液晶パネル４２Ｒ、４２Ｇ、４２Ｂと、各液晶パネル４２Ｒ、４２Ｇ、４２Ｂの光路前段に配置される３つの入射側偏光板４２１Ｒ、４２１Ｇ、４２１Ｂと、各液晶パネル４２Ｒ、４２Ｇ、４２Ｂの光路後段に配置される３つの射出側偏光板４２２Ｒ、４２２Ｇ、４２２Ｂとを備える。
３つの入射側偏光板４２１Ｒ、４２１Ｇ、４２１Ｂは、ＢＫ７、石英ガラス等の透明基板上に偏光膜を形成して構成され、特定の偏光光束を透過する性質を有し、光路途中のダイクロイックミラー４１１、４１２等で位相が偏光された光束を吸収する。
液晶パネル４２Ｒ、４２Ｇ、４２Ｂは、一対の透明なガラス基板に電気光学物質である液晶が密閉封入された構成を有し、入力される画像情報に応じて液晶の配向状態が制御されることで、入射側偏光板４２１Ｒ、４２１Ｇ、４２１Ｂから射出された偏光光の偏光方向を変調する。
３つの射出側偏光板４２２Ｒ、４２２Ｇ、４２２Ｂは、液晶パネル４２Ｒ、４２Ｇ、４２Ｂを介して射出された光束のうち、特定の偏光光束のみを透過し、その他の光束を吸収する。
【００２３】
色合成光学装置４３は、各射出側偏光板４２２Ｒ、４２２Ｇ、４２２Ｂから射出された変調光束を合成してカラー画像を形成する機能を有し、４つの直角プリズムを貼り合わせた平面視略正方形状を有し、直角プリズム同士を貼り合わせた界面には、２つの誘電体多層膜が形成されたクロスダイクロイックプリズムとして構成される。２つの誘電体多層膜は、一方が赤色光（Ｒ）を反射し、緑色光（Ｇ）を透過する性質を有し、他方が青色光（Ｂ）を反射し、緑色光（Ｇ）を透過する性質を有し、これら誘電体多層膜によって赤色光（Ｒ）、緑色光（Ｇ）、青色光（Ｂ）が合成されてカラー画像が形成される。
【００２４】
投射光学系７は、鏡筒７１内に複数のレンズが光束の光路上に配列された組レンズから構成され、光学系４で形成された光学像を投射する。
投射光学系７は、図２、３に示されるように、鏡筒７１と、第１ズーム調整部７２と、保持枠７３と、第２ズーム調整部７４と、フォーカス調整部７５と、冷却手段７６と、固定レンズ群７１１と、第１ズームレンズ群７２１と、収差補正レンズ７３１と、第２ズームレンズ７４１と、フォーカスレンズ群７５１と、投射レンズ７１１Ａを備え、いわゆるフォーカス機能とズーム機能とを有する光学系として構成されている。
鏡筒７１は、投射方向先端がプロジェクター１の筐体から露出し、内部を光束が通過する筒状に形成されている。
鏡筒７１の内部の投射方向基端側には、固定部７１３が設けられ、この固定部７１３には、複数のレンズからなる固定レンズ群７１１が固定されている。また、鏡筒７１の内部の投射方向先端側にも、固定部７１３Ａが設けられ、この固定部７１３Ａには、投射レンズ７１１Ａが固定されている。固定レンズ群７１１の投射方向先端側には、第１ズーム調整部７２が配置されている。
【００２５】
第１ズーム調整部７２は、複数のレンズからなる第１ズームレンズ群７２１を投射方向に移動可能に保持して投射画像の倍率を調整するものであり、第１移動片７２２と、第１移動枠７２３と、図示しない操作部とを備える。
第１移動片７２２は、鏡筒７１内部に配置され、投射方向に沿って前後に移動可能に設けられている。第１移動片７２２には、第１移動枠７２３が連結され、この第１移動枠７２３は、複数のズームレンズからなる第１ズームレンズ群７２１を保持する。
操作部は、第１移動片７２２を投射方向に操作可能に設けられ、第１ズームレンズ群７２１を投射方向に沿って移動させることができる。
第１ズームレンズ群７２１のうち、投射方向基端側の２枚のレンズは、凹レンズと凸レンズとが接着剤により接着されている。
第１ズームレンズ群７２１の投射方向先端側には、収差補正レンズ７３１を保持する保持枠７３が設けられている。
【００２６】
保持枠７３は、アルミニウム、マグネシウム等の熱伝導性の良好な金属製材料により環状に形成されている。この保持枠７３は、略中央に保持孔７３２が形成され、冷却媒体案内部としてのフィン７３３を有している。
フィン７３３は、前述した鏡筒７１の一対の導入孔７１２Ａ１及び排出孔７１２Ａ２の中心間を結ぶ線分に沿って配置され、保持枠７３の表裏面７３Ａ１，７３Ａ２に突出形成される複数のリブとして形成されている。保持枠７３内側のフィン７３３の先端部分は、保持孔７３２の内周縁に臨んでいる。
【００２７】
このような保持枠７３の保持孔７３２には、収差補正レンズ７３１が取り付けられている。
収差補正レンズ７３１は、第１ズームレンズ群７２１から射出された光学像の収差を補正するレンズであり、凹レンズと凸レンズとが接着剤により接着されている。
接着剤としては、例えば、エポキシ樹脂などのＵＶ硬化樹脂を採用することができる。なお、エポキシ樹脂に限らず、アクリル系樹脂、ウレタン樹脂、チオール系樹脂、フッ素樹脂、シリコーン樹脂などを用いてもよい。また、収差補正レンズ７３１は、接着剤に限らず、接着材、シランカップリング材、プラズマ重合などにより接合されていてもよい。
この収差補正レンズ７３１は、固定レンズ群７１１、第１ズームレンズ群７２１、第２ズームレンズ７４１、フォーカスレンズ群７５１、及び投射レンズ７１１Ａのいずれのレンズよりも径が小さくなっている。すなわち、収差補正レンズ７３１は、鏡筒７１の内部に配置されたレンズの中で最も径が小さいレンズである。
【００２８】
収差補正レンズ７３１を構成する凸レンズと凹レンズとの組み合わせとして、例えば、凸レンズとしてのＴＡＦ１（ＨＯＹＡ株式会社製、Ｎｄ＝1.77250  Vd＝49.62  線膨張係数（α）＝59（x10E-7/℃））と凹レンズとしてのＦＣ５（ＨＯＹＡ）  Ｎｄ＝1.48749  Vd＝70.44  α＝93）を採用することができる。このほかに、凸レンズとしてのＦＤＳ９０（ＨＯＹＡ株式会社製  Ｎｄ＝1.84666  Ｖｄ＝23.78  α＝90）と凹レンズとしてのＢＡＣＤ５（ＨＯＹＡ株式会社製  Ｎｄ＝1.58913  Ｖｄ＝61.25  α＝57）との組み合わせや、凸レンズとしてのＮＢＦＤ１０（ＨＯＹＡ株式会社製  Ｎｄ＝1.83400  Ｖｄ＝37.34  α＝59）と凹レンズとしてのＦＣＤ１（ＨＯＹＡ株式会社製  Ｎｄ＝1.49700  Ｖｄ＝81.61  α＝133）との組み合わせでもよい。
【００２９】
図２に示すように、第２ズーム調整部７４は、第１ズーム調整部７２と同様に、投射方向に移動させて投影画像の倍率を調整するものであり、第１ズーム調整部７２と同様に、投射方向に移動可能な第２移動片７４２と、この第２移動片７４２に連結され複数のレンズからなる第２ズームレンズ７４１を保持する第２移動枠７４３と、第２移動片７４２を操作する図示しない操作部とを有する。
操作部を操作することにより、第２移動片７４２を投射方向に移動させて、第２ズームレンズ７４１を投射方向に沿って移動させることができる。
第２ズームレンズ７４１は、凹レンズと凸レンズとが接着剤により接着されている。
第２ズーム調整部７４の投射方向先端側には、フォーカス調整部７５が配置されている。
【００３０】
フォーカス調整部７５は、複数のレンズからなるフォーカスレンズ群７５１を投射方向に移動させて投射画像の焦点を調整するものであり、投射方向に移動可能な移動片７５２と、移動片７５２に連結され複数のレンズからなるフォーカスレンズ群７５１を保持する移動枠７５３と、移動片７５２を操作する図示しない操作部とを有する。
【００３１】
冷却手段７６は、鏡筒７１の導入孔７１２Ａ１及び排出孔７１２Ａ２のそれぞれに対向して設けられる導入部７６１及び排出部７６２を備える。
導入部７６１は、軸流ファン７６３を枠体で保持して構成され、この軸流ファン７６３は、導入孔７１２Ａ１に向かう方向に空気を送る。
排出部７６２も同様に、軸流ファン７６３を枠体で保持した構成であるが、こちらの軸流ファン７６３は、排出孔７１２Ａ２から出てくる空気を吸い込み、外部に排出する。
【００３２】
このような投射光学系７において、冷却手段７６のそれぞれの軸流ファン７６３を駆動すると、導入部７６１では鏡筒７１の外部の空気を取り込んで、導入孔７１２Ａ１に空気を吹き付ける。
吹き付けられた空気の一部は、鏡筒７１の内部に取り込まれ、フィン７３３に沿って流れ、フィン７３３の先端から収差補正レンズ７３１の表面流れ、収差補正レンズ７３１を冷却する。
収差補正レンズ７３１を冷却した後の空気は、排出部７６２の軸流ファン７６３によって、フィン７３３を介して排出孔７１２Ａ２から外部に排出される。
【００３３】
このような第１実施形態に係るプロジェクター１において、鏡筒７１に内部に空気を導入する導入孔７１２Ａ１と、収差補正レンズ７３１を保持する保持枠７３と、導入孔７１２Ａ１を介して導入された空気を収差補正レンズ７３１に案内するフィン７３３とを設けた。
従って、筐体の内部を通過する光線により発熱が起こり、収差補正レンズ７３１が熱せられた場合でも、フィン７３３が空気を収差補正レンズ７３１に案内するため、収差補正レンズ７３１を冷却し、収差補正レンズ７３１の熱膨張による収差の変化を抑制することができる。よって、投射画像の品質の劣化を防止することができる。
【００３４】
［第２実施形態］
次に、本発明の第２実施形態について説明する。尚、以下の説明では、既に説明した部分等については、同一符号を付してその説明を省略する。
前述した第１実施形態に係るプロジェクター１では、冷却媒体案内部は、保持枠７３に形成されたフィン７３３である構成を示した。
これに対して、第２実施形態のプロジェクター１では、冷却媒体案内部は、保持枠７３Ａの内部に形成されたダクト部７３３Ａである点が相違する。
また、前記第１実施形態では、冷却媒体は、空気であったが、第２実施形態では、冷却媒体を液体としている点が相違する。
【００３５】
すなわち、第２実施形態の保持枠７３Ａは、図４，５に示されるように、レンズ保持枠７３２Ａと、このレンズ保持枠７３２Ａの投射方向側の表面７３２Ａ２に形成されるダクト部７３３Ａとを備える。
レンズ保持枠７３２Ａは、第１実施形態と同様に金属製の板状体から構成され、略中央に収差補正レンズ７３１を保持するレンズ保持孔７３２Ａ１が形成されている。
ダクト部７３３Ａは、保持枠７３Ａの外周縁に沿って形成され、面外方向に起立する外周側起立壁７３３Ａ１と、保持枠７３Ａの内周縁に沿って形成され、面外方向に起立する内周側起立壁７３３Ａ２と、外周側起立壁７３３Ａ１及び内周側起立壁７３３Ａ２を連結するリング状の天井壁７３３Ａ３とを備え、内周側起立壁７３３Ａ２、外周側起立壁７３３Ａ１、及び天井壁７３３Ａ３で囲まれた空間内に冷却媒体が流れる。
【００３６】
外周側起立壁７３３Ａ１の上端及び下端には、導入孔７３３Ｂ１及び排出孔７３３Ｂ２が形成され、これらの導入孔７３３Ｂ１及び排出孔７３３Ｂ２は、鏡筒７１の導入孔７１２Ａ１及び排出孔７１２Ａ２と対応し、図示を略したがその接続部分には、水密シールが施されている。
ダクト部７３３Ａ内部を流れる冷却媒体としては、例えば、エチレングリコール等の透明の不揮発性液体（冷却液体）が採用される。
導入部７６１Ａは、鏡筒７１の鉛直方向の上側に配置され、排出部７６２Ａは、鏡筒７１の鉛直方向の下側に配置されている。
導入部７６１Ａは、鏡筒７１外部に設けられるタンクを備える。タンクには、プロジェクター全体を冷却する冷却配管部材が接続されており、プロジェクター１内部に設けられる冷却流体循環用のポンプによってタンク内の冷却流体が導入孔７１２Ａ１、７３３Ｂ１から鏡筒７１内部に導入される。
排出部７６２Ａは、導入部７６１Ａと同様に鏡筒７１外周に設けられるタンクを備え、このタンクは、プロジェクター１全体を冷却する冷却配管部材が接続され、タンク内の冷却流体を冷却配管部材に送り出す。
導入部７６１Ａには、冷却液体９が溜められ、この冷却液体９は、導入孔７１２Ａ１、７３３Ｂ１を介してダクト部７３３Ａの内部に流入し、保持枠７３Ａを冷却する。そして、ダクト部７３３Ａの内部の冷却液体９は、排出孔７１２Ａ２、７３３Ｂ２を介して排出部７６２Ａに排出される。
ここで、導入部７６１Ａは、鏡筒７１の鉛直方向の上側に配置される構成を示したが、これに限られない。例えば、導入部７６１Ａは、鏡筒７１の鉛直方向の下側に配置されてもよく、鏡筒７１の側面に配置されていてもよい。
また、第２実施形態では、冷却媒体として冷却液体９を採用したが、冷却媒体は第１実施形態と同様に空気であっても良い。
さらに、タンクにマイクロポンプを設け、導入部７６１Ａのタンクから排出部７６２Ａのタンクへ、さらに、排出部７６２Ａのタンクから導入部７６１Ａのタンクへ冷却媒体を循環させてもよい。
【００３７】
このような第２実施形態に係るプロジェクター１において、保持枠７３Ａの内部に、冷却液体９を収差補正レンズ７３１の外周縁に案内するダクト部７３３Ａを設けた。
従って、収差補正レンズ７３１の正面を冷却液体９が通過することがないため、光路上にゆらぎが発生するという不都合を防止することができる。
また、冷却媒体として、冷却液体９を採用したため、外部の空気を採用する場合と比較して、保持枠７３Ａを良好に冷却することができ、また、保持枠７３Ａを介して収差補正レンズ７３１を良好に冷却することができる。
【００３８】
［実施形態の変形］
尚、本発明は、前述した実施形態に限定されるものではなく、以下に示すような変形をも含むものである。
前記実施形態では、プロジェクターとして、液晶プロジェクターを採用したが、この他に、スライドプロジェクター、オーバーヘッドプロジェクター（ＯＨＰ）、ＣＲＴプロジェクター、ＬＣＯＳ（Ｌｉｑｕｉｄ  Ｃｒｙｓｔａｌ  Ｏｎ  Ｓｉｌｉｃｏｎ）プロジェクター、ＧＬＶ（Ｇｒａｔｉｎｇ  Ｌｉｇｈｔ  Ｖａｌｖｅ）プロジェクターでもよい。
その他、本発明の実施の際の具体的な構造及び形状等は、本発明の目的を達成できる範囲で他の構造等としてもよい。
【符号の説明】
【００３９】
１…プロジェクター、７…投射光学系、９…冷却媒体としての冷却水、２１…光源装置、４２…光変調装置、７１…鏡筒、７３，７３Ａ…保持枠、７３３…冷却媒体案内部としてのフィン、７３３Ａ…冷却媒体案内部としてのダクト部
【図１】
2010243542.tif 000003
【図２】
2010243542.tif 000004
【図３】
2010243542.tif 000005
【図４】
2010243542.tif 000006
【図５】
2010243542.tif 000007